(57)【要約】【課題】タブ紙に視認性がよい文字を印刷することができる画像形成装置を提供する。【解決手段】プリンタドライバの画面で、タブ紙に印刷する文字色の設定が行なわれる（Ｓ３０５）。また、文字の背景色の設定が行なわれる（Ｓ３０７）。文字色、背景色、および現在設定されているタブ紙の色とに基づいて、文字色と下地が近似色（または同色）となるかを判定する（Ｓ３０９）。ＹＥＳであれば、文字の視認性が悪くなると判断し、補正後の色を決定し（Ｓ３１３）、色を変更する旨のメッセージを表示する（Ｓ３１５）。その後、ユーザにより選択されている色を補正色に変更する（Ｓ３１７）。【選択図】図８
2008065366.tif 000002
【特許請求の範囲】
【請求項１】
タブ紙の見出し部分に文字を印刷できる画像形成装置であって、
印刷対象となるタブ紙の色の情報を入力する第１の入力手段と、
前記タブ紙に印刷する文字の色の情報を入力する第２の入力手段と、
前記タブ紙の色、および前記文字の色に基づいて、前記文字の視認性が悪くなる場合に前記文字の色を変更する変更手段とを備えた、画像形成装置。
【請求項２】
タブ紙の見出し部分に文字を印刷できる画像形成装置であって、
印刷対象となるタブ紙の色の情報を入力する第１の入力手段と、
前記タブ紙に印刷する文字の色の情報を入力する第２の入力手段と、
前記タブ紙の色、および前記文字の色に基づいて、前記文字の視認性が悪くなる場合に警告を行なう警告手段とを備えた、画像形成装置。
【請求項３】
前記第２の入力手段は、プリンタドライバからタブ紙の見出し部分の文字の情報を入力する、請求項１または２に記載の画像形成装置。
【請求項４】
前記第２の入力手段は、前記文字の背景色の情報を入力し、
前記変更手段は、前記文字の背景色を考慮して前記文字の視認性を判断する、請求項１から３のいずれかに記載の画像形成装置。
【請求項５】
前記タブ紙は、複数のタブ紙のセットであり、
前記第１の入力手段は、タブ紙のセットに含まれる複数のタブ紙全ての色の指定を入力する、請求項１から４のいずれかに記載の画像形成装置。
【請求項６】
プリンタドライバへ前記タブ紙の情報を送信する通信手段をさらに備えた、請求項１から５のいずれかに記載の画像形成装置。
【請求項７】
タブ紙の見出し部分に文字を印刷できる画像形成装置であって、
印刷対象となるタブ紙の色の情報を入力する入力手段と、
前記タブ紙の色に基づいて、前記タブ紙に印刷する文字の色に対して、前記文字の視認性が悪くならない色を決定する決定手段とを備えた、画像形成装置。
【請求項８】
タブ紙の見出し部分に文字を印刷できる画像形成装置の制御に用いられる印刷制御プログラムであって、
印刷対象となるタブ紙の色の情報を入力する第１の入力ステップと、
前記タブ紙に印刷する文字の色の情報を入力する第２の入力ステップと、
前記タブ紙の色、および前記文字の色に基づいて、前記文字の視認性が悪くなる場合に、前記文字の色を変更する変更ステップとをコンピュータに実行させる、印刷制御プログラム。
【請求項９】
タブ紙の見出し部分に文字を印刷できる画像形成装置の制御に用いられる印刷制御プログラムであって、
印刷対象となるタブ紙の色の情報を入力する第１の入力ステップと、
前記タブ紙に印刷する文字の色の情報を入力する第２の入力ステップと、
前記タブ紙の色、および前記文字の色に基づいて、前記文字の視認性が悪くなる場合に警告を行なう警告ステップとをコンピュータに実行させる、印刷制御プログラム。
【請求項１０】
タブ紙の見出し部分に文字を印刷できる画像形成装置の制御に用いられる印刷制御プログラムであって、
印刷対象となるタブ紙の色の情報を入力する入力ステップと、
前記タブ紙の色に基づいて、前記タブ紙に印刷する文字の色に対して、前記文字の視認性が悪くならない色を決定する決定ステップとをコンピュータに実行させる、印刷制御プログラム。
【発明の詳細な説明】
【技術分野】
【０００１】
この発明は画像形成装置、および印刷制御プログラムに関し、特にタブ紙に文字を印刷することができる画像形成装置、および印刷制御プログラムに関する。
【背景技術】
【０００２】
下記特許文献１には、タブ紙へ印刷を行なうレーザビームプリンタが記載されている。レーザビームプリンタは、タブ紙見出し部分への文字印刷と、タブの見出し部分に対する装飾処理（フィル、ハッチ、ストローク）とを行なう。事前に普通紙にテスト印字を行なうことで、タブ紙への印刷失敗を防ぎ、印刷コストを削減することが可能である。
【特許文献１】特開２００３−２２１７６号公報
【発明の開示】
【発明が解決しようとする課題】
【０００３】
タブ紙の見出し部分は、その形状から閲覧者がドキュメントの大量ページの中から所望する章やページを見つけ易くするために設けられている。従来の見出しに対する文字印刷の色は、黒に固定されていた。
【０００４】
しかしながら、タブ紙には多様な色の種類があるため、色紙に黒文字を印刷した場合、タブ紙の色によっては視認性が悪くなることがあった。
【０００５】
また、白いタブ紙の見出し部分へ色文字を印刷する場合に、見出し部分の文字視認性を向上させる為に、色文字の背景色を別途指定して印刷する事が可能である。
【０００６】
しかしながら、タブ紙の色、見出し部分の背景色、見出し部分に印刷する文字色の組み合わせによっては、見出し部分の情報の視認性が低下し、内容が判別しづらくなることがあった。
【０００７】
この発明は上記問題点を解決するためになされたものであり、タブ紙に視認性がよい文字を印刷することができる画像形成装置、および印刷制御プログラムを提供することを目的としている。
【課題を解決するための手段】
【０００８】
上記目的を達成するためこの発明のある局面に従うと、タブ紙の見出し部分に文字を印刷できる画像形成装置は、印刷対象となるタブ紙の色の情報を入力する第１の入力手段と、タブ紙に印刷する文字の色の情報を入力する第２の入力手段と、タブ紙の色、および文字の色に基づいて、文字の視認性が悪くなる場合に文字の色を変更する変更手段とを備える。
【０００９】
この発明の他の局面に従うと、タブ紙の見出し部分に文字を印刷できる画像形成装置は、印刷対象となるタブ紙の色の情報を入力する第１の入力手段と、タブ紙に印刷する文字の色の情報を入力する第２の入力手段と、タブ紙の色、および文字の色に基づいて、文字の視認性が悪くなる場合に警告を行なう警告手段とを備える。
【００１０】
好ましくは第２の入力手段は、プリンタドライバからタブ紙の見出し部分の文字の情報を入力する。
【００１１】
好ましくは第２の入力手段は、文字の背景色の情報を入力し、変更手段は、文字の背景色を考慮して文字の視認性を判断する。
【００１２】
好ましくはタブ紙は、複数のタブ紙のセットであり、第１の入力手段は、タブ紙のセットに含まれる複数のタブ紙全ての色の指定を入力する。
【００１３】
好ましくは画像形成装置は、プリンタドライバへタブ紙の情報を送信する通信手段をさらに備える。
【００１４】
この発明のさらに他の局面に従うと、タブ紙の見出し部分に文字を印刷できる画像形成装置は、印刷対象となるタブ紙の色の情報を入力する入力手段と、タブ紙の色に基づいて、タブ紙に印刷する文字の色に対して、文字の視認性が悪くならない色を決定する決定手段とを備える。
【００１５】
この発明のさらに他の局面に従うと、タブ紙の見出し部分に文字を印刷できる画像形成装置の制御に用いられる印刷制御プログラムは、印刷対象となるタブ紙の色の情報を入力する第１の入力ステップと、タブ紙に印刷する文字の色の情報を入力する第２の入力ステップと、タブ紙の色、および文字の色に基づいて、文字の視認性が悪くなる場合に、文字の色を変更する変更ステップとをコンピュータに実行させる。
【００１６】
この発明のさらに他の局面に従うと、タブ紙の見出し部分に文字を印刷できる画像形成装置の制御に用いられる印刷制御プログラムは、印刷対象となるタブ紙の色の情報を入力する第１の入力ステップと、タブ紙に印刷する文字の色の情報を入力する第２の入力ステップと、タブ紙の色、および文字の色に基づいて、文字の視認性が悪くなる場合に警告を行なう警告ステップとをコンピュータに実行させる。
【００１７】
この発明のさらに他の局面に従うと、タブ紙の見出し部分に文字を印刷できる画像形成装置の制御に用いられる印刷制御プログラムは、印刷対象となるタブ紙の色の情報を入力する入力ステップと、タブ紙の色に基づいて、タブ紙に印刷する文字の色に対して、文字の視認性が悪くならない色を決定する決定ステップとをコンピュータに実行させる。
【発明の効果】
【００１８】
これらの発明に従うと、タブ紙に視認性がよい文字を印刷することができる画像形成装置、および印刷制御プログラムを提供することが可能となる。
【発明を実施するための最良の形態】
【００１９】
［第１の実施の形態］
図１は、本発明の実施の形態の１つにおける画像印刷システムの構成を示す図である。
【００２０】
図を参照して、画像印刷システムは、ＬＡＮに接続された画像形成装置としてのＭＦＰ１００ａ，１００ｂと、ユーザＡのＰＣ（Ｐｅｒｓｏｎａｌ  Ｃｏｍｐｕｔｅｒ）２００ａと、ユーザＢのＰＣ２００ｂと、ＭＦＰの管理者のＰＣ２００ｃと、Ｅ−ｍａｉｌサーバ３００と、画像データデータベース（ＤＢ）５００とを備えている。
【００２１】
図２は、ＭＦＰ１台のシステム構成を示すブロック図である。
ＭＦＰ１００ａは、主な構成要素として、ＣＰＵ１０１、ＲＡＭ１０３、ＲＯＭ１０５、タッチパネル形式の操作パネル１０７、スキャナ部１０９、プリンタ部１１１、記憶装置１１３、およびネットワークインターフェースカード（ＮＩＣ）１１５を備えている。
【００２２】
ＮＩＣ１１５は、ＬＡＮを介してＰＣからプリントジョブデータを受信したり、スキャン、ＦＡＸ送信において画像データを送受信したりするためのインターフェースである。
【００２３】
スキャナ部１０９は、セットされた原稿をスキャンし、原稿の画像データを得る公知の装置である。
【００２４】
プリンタ部１１１は、公知の電子写真方式により、スキャナ部１０９で作成された画像データなどを、プリントデータとしての印刷のためのデータに変換し、変換後のデータに基づいて文書等の画像を印刷する装置である。
【００２５】
操作パネル１０７は、コピーの画質、用紙設定や、スキャンの送信先の登録・選択などを行なうための、表面にタッチパネルが積層された液晶表示装置である。
【００２６】
ＣＰＵ１０１は、ＲＯＭ１０５から必要なプログラムを読み出して、システム全体の機能を制御する。ＲＯＭ１０５には、ＭＦＰ全体を制御するプログラムが格納されている。ＲＡＭ１０３は、ＣＰＵ１０１におけるプログラム実行時のワークエリアとなる。また、ＲＡＭ１０３には、スキャナ部１０９で読取られた画像データ等が一時的に保存される。
【００２７】
図３は、図１のＰＣまたはサーバ１台のハードウェア構成を示すブロック図である。
図を参照して、ＰＣ（またはサーバ）は、装置全体の制御を行なうＣＰＵ６０１と、ディスプレイ６０５と、ネットワークに接続したり外部と通信を行なうためのＬＡＮ（ローカルエリアネットワーク）カード６０７（またはモデムカード）と、キーボードやマウスなどにより構成される入力装置６０９と、フレキシブルディスクドライブ６１１と、ＣＤ−ＲＯＭドライブ６１３と、ハードディスクドライブ６１５と、ＲＡＭ６１７と、ＲＯＭ６１９とを備えている。
【００２８】
フレキシブルディスクドライブ６１１により、フレキシブルディスクＦに記録されたプログラムや画像などのデータを読取ることが可能であり、ＣＤ−ＲＯＭドライブ６１３により、ＣＤ−ＲＯＭ６１３ａに記録されたプログラムや画像などのデータを読取ることが可能である。
【００２９】
図４は、ＰＣにインストールされるプリンタドライバの有する挿入紙情報処理部の機能ブロック図である。
【００３０】
図を参照して、プリンタドライバは、挿入紙情報処理部２００と印刷データ生成部３００とを備えている。挿入紙情報処理部２００は、挿入紙（インデックス紙であるタブ紙など）に関する情報を設定、記憶する。印刷データ生成部３００は、記憶している挿入紙設定情報に従って印刷データを生成する。
【００３１】
挿入紙情報処理部２００は、挿入紙全体にかかわる設定、表示を行なう挿入紙情報設定・表示部２０１と、タブ紙情報処理部２０３と、文字情報処理部２０５と、挿入紙情報記憶部２０７とを備えている。
【００３２】
タブ紙情報処理部２０３は、ＧＵＩ（graphical user interfac）で設定できる設定内容を表示するタブ紙情報設定・表示部２５１と、ＭＦＰなどの装置からタブ紙情報を取得する装置情報取得部２５３と、設定した内容を記憶するタブ紙情報記憶部２５５とを含んでいる。
【００３３】
文字情報処理部２０５は、ＧＵＩで設定できる設定内容を表示する文字情報設定・表示部２６１と、２色の色が近似色かを判定する同色・近似色判定部２６３と、警告メッセージを表示する警告メッセージ表示部２６５と、タブ紙に印刷する文字が、タブ紙の近似色にならない色に変更する色補正処理部２６７と、設定した内容を記憶する文字情報の記憶部２６９とを含んでいる。
【００３４】
挿入紙情報記憶部２０７は、タブ紙情報処理部２０３および文字情報処理部２０５で設定された内容を記憶する。
【００３５】
ユーザは、タブ見出し部分に色文字、および文字の背景を指定して印刷することが可能である。タブ紙には、白紙やパステル色がついているものもあり、その見出し部分に色文字や背景色を印刷すると、タブ紙の色との組み合わせで文字が見づらくなる場合がある。挿入紙情報処理部２００は、タブ紙の色、見出し部分の背景色、見出し部分に印刷する文字色の組み合わせによって発生する見出し部分の視認性低下を防止し、タブ紙の印刷失敗を未然に防ぐ。
【００３６】
図５は、ＭＦＰに備えられる印刷処理装置のタブ紙挿入処理部の機能ブロック図である。
【００３７】
図を参照して印刷処理装置４００は、印刷データ処理部４０１と、タブ紙情報処理部４０３と、タブ紙印刷処理部４０５とを備える。
【００３８】
印刷データ処理部４０１は、ホストコンピュータから印刷データを受信する印刷データ受信部４５１と、受信した印刷データを記憶する印刷データ記憶部４５３と、記憶した印刷データを解析する印刷データ解析部４５５とを備える。
【００３９】
タブ紙情報処理部４０３は、タブ紙の設定を行うＧＵＩを表示するタブ紙情報設定・表示部４６１と、設定したタブ紙情報を記憶するタブ紙情報記憶部４６３と、記憶したタブ紙情報をホストコンピュータへ送信するタブ紙情報双方向通信部４６５とを備える。
【００４０】
タブ紙印刷処理部４０５は、タブ紙の印刷か否かを判定するタブ紙印刷判定部４７１と、タブ紙の見出し部分へ印刷を行なうタブ見出し部描画処理部４７３と、タブ紙に印刷を行なうタブ紙印刷部４７５とを備える。
【００４１】
図６は、ＭＦＰの印刷処理装置が実行するタブ紙設定処理を示すフローチャートである。
【００４２】
図を参照して、ステップＳ１０１でタブ紙情報設定・表示部４６１から、タブ紙の用紙サイズ、タブ見出し数（耳数＝タブ紙セット内のタブ紙の数）、およびタブ耳サイズのユーザ設定を受付ける。ステップＳ１０３でタブ紙の色設定として、見出し数分のタブ紙の色の設定を受付ける。ユーザがＯＫボタンを押下すると、ステップＳ１０５で設定がタブ紙情報記憶部４６３に記憶される。
【００４３】
図７は、ＰＣにインストールされるプリンタドライバが実行するタブ紙設定処理のフローチャートである。
【００４４】
ドライバの画面において、インデックス紙設定ボタンが押下されると、ドライバ画面にインデックス紙設定ダイアログが表示される。インデックス紙設定ダイアログの装置情報ボタンが押下されると、図７のフローチャートにより、装置情報取得部２５３を用いて、ＭＦＰのタブ紙情報双方向通信部４６５から、タブ紙情報記憶部４６３で記憶しているタブ紙情報を読出す（Ｓ２０１）。読出されたタブ紙情報は、ＧＵＩに反映する（Ｓ２０３）。具体的には、ダイアログ画面に各設定情報（タブ紙、タブ見出し数、タブ紙ごとの色など）を表示する。ＯＫボタンが押されると、ダイアログを閉じる。
【００４５】
タブ紙情報は、タブ紙情報記憶部２５５に記憶される。
図８は、プリンタドライバが実行するタブ紙挿入設定処理のフローチャートである。
【００４６】
ステップＳ３０１において、ドライバ画面でタブ紙の挿入ページ数、印刷種類、給紙トレイ、ステープル、およびパンチ穴挿入ページを設定する。また、ドライバ画面の「インデックス紙を使用する」の項目のチェックがＯＮとされ、見出し文字、見出し位置を設定する。ここに、見出し文字とは、タブ紙の耳の部分（見出し部）に印刷する文字列を示し、見出し位置とは、見出し文字をプリントする位置を示す。
【００４７】
ドライバ画面の「詳細」ボタンが押下されると、見出し文字の詳細設定ダイアログが表示される。ステップＳ３０３において、詳細設定ダイアログで、タブ部の文字の方向、文字の位置、フォント名、スタイル、およびサイズの設定が行なわれる。
【００４８】
また、ステップＳ３０５でドライバ画面で文字色の設定が行なわれる。ステップＳ３０７で文字の背景色の設定が行なわれる。
【００４９】
ステップＳ３０９で、文字色、背景色、および現在設定されているタブ紙の色とに基づいて、文字色と下地が近似色（または同色）となるかを判定する。ＹＥＳであれば、文字の視認性が悪くなると判断し、ステップＳ３１３で補正後の色を決定し、ステップＳ３１５で色を変更する旨のメッセージを表示する。その後、ステップＳ３１７で、ユーザにより選択されている色を補正色に変更する。なお、色に自動が選択されている場合（色の自動設定が行なわれる場合）にも、ステップＳ３０９以降の処理が行なわれる。
【００５０】
ステップＳ３１１において、設定状態をサンプルイメージとして表示する。その後、ＯＫボタンが押されると、設定を保存する。
【００５１】
なお、近似色であるかの判定は、一般的なＬ＊ａ＊ｂ＊表色系などを用いて行なうものとする。２つの色の色差をとり、それがしきい値以下の場合、近似色と判定するものである。
【００５２】
図９は、ＭＦＰの操作パネル１０７に表示されるタブ紙情報を設定するためのユーザインターフェイス画面を示す図である。
【００５３】
この画面は、図６のフローチャートでの処理で表示される画面である。画面において、（１）は用紙サイズを設定する部分であり、（２）はタブ見出し数を設定する部分である。（３）は、見出しの位置（すなわちタブ紙）ごとにタブ紙の色を設定する部分である。ここでは、選択されている色を表示する。なお、色自体を表示するのではなく、数値で色を表現してもよい。
【００５４】
（４）は、現在設定されているすべてのタブ紙の色を表示する部分である。ここでは、タブ番号も表示する。ここでも、色自体を表示するのではなく、数値で色を表現してもよい。図９では、１２のタブ見出しを有するタブ紙を用いるよう設定されており、１２それぞれのタブ紙の色が設定されている。
【００５５】
図１０は、プリンタドライバの挿入ページ、見出し文字、見出し位置を設定するためのユーザインターフェイス画面を示す図である。
【００５６】
画面において、（１）は、設定内容の情報を一覧で確認するための部分である。
（２）の「追加」または「編集」ボタンが押下されると、図１２のユーザインターフェイス画面が表示される。
【００５７】
（３）の「インデックス紙設定」ボタンが押下されると、図１１のユーザインターフェイス画面が表示される。
【００５８】
（４）の部分では、現在の設定状態が表示される。ここでは、ページ番号に併せて、そのページの印刷の種類、給紙トレイ、ステープル、パンチ穴、見出し文字、見出し位置、および色の設定（タブ紙の色、見出しの文字色、および背景色）が表示される。
【００５９】
図１１は、プリンタドライバのインデックス紙情報を設定するためのユーザインターフェイス画面を示す図である。
【００６０】
この画面は、図１０の（３）「インデックス紙設定」を押下することで表示される画面であり、用紙サイズ、タブ見出し数、見出し位置、紙色を設定するための画面である。また、この画面は、図９の設定内容と同じＧＵＩ設定を行なうためのプリンタドライバ用の画面である。
【００６１】
（１）の「装置情報」ボタンが押下されると、装置（ＭＦＰ）に記憶されているタブ紙情報が読出される。
【００６２】
（２）の部分でユーザは、用紙サイズ、タブ見出し数、見出し位置、紙色の各設定を行なうことができる。また、設定内容が表示される。
【００６３】
（３）の部分では、現在のタブ紙の設定状態（見出し数、色など）をイメージとして表示する。なお、色は数値で表現して表示してもよい。
【００６４】
図１２は、挿入する用紙のページ番号、タブ紙給紙トレイ、見出し文字、見出し位置を設定するためのユーザインターフェイス画面を示す図である。
【００６５】
この画面は、図１０の（２）の部分の操作により表示される。
（１）の部分は、挿入する用紙の情報を設定するための部分であり、かつ現在の設定値を表示する部分である。ここでは、用紙を挿入する部分のページ番号、印刷の種類、給紙トレイ、ステープル、パンチ穴の設定が行なわれる。
【００６６】
（２）の部分は、見出しに印刷する文字や、見出し位置を設定するための部分であり、かつ現在の設定値を表示する部分である。
【００６７】
（３）の「詳細」ボタンが押下されると、図１３のユーザインターフェイス画面が表示される。
【００６８】
図１３は、挿入するタブ紙の見出し文字、文字方向、文字位置、フォントの書体名、スタイル、サイズ、文字色、および文字背景色を設定するためのユーザインターフェイス画面を示す図である。
【００６９】
（１）の部分は、見出しに印刷する文字の色を設定するための部分である。「自動」が選択されている場合は、選択されているタブ紙の色と近くない色を自動で決定する。任意で色が選択されている場合において、選択している色とタブ紙の色が近似色の場合は、図１４のダイアログメッセージを表示し、色を自動的に別の色に変更する。
【００７０】
（２）の部分は、見出しに印刷する文字の背景色を設定するための部分である。（３）の部分は、現在のタブ見出し部分の設定状態をイメージで表示する部分である。
【００７１】
図１４は、図８のステップＳ３１５で表示される変更メッセージ画面の具体例を示す図である。
【００７２】
ここでは、選択した文字色がタブ紙と近似色の場合に、ユーザに対して選択された文字の色で印刷を行なうと、文字の判別が難しくなるため、変更を行なうことと、変更前および変更後の色とが表示される。
【００７３】
このような処理により、タブ紙の見出し部分の文字の視認性を向上させることができる。また、印刷実行前に色の組み合わせによって発生する色の重なりの問題をユーザに知らせることができるため、通常の用紙よりも高価なタブ紙での印刷の失敗を防止することが可能となる。これにより、印刷コストが削減できる。すなわち、ユーザが任意に選択した見出し文字の色が、見出し背景の色と同じ色または近似色の場合に、事前に警告メッセージを表示することができる。
【００７４】
［変形例］
また、タブ紙に印刷する文字の色として視認性のよい色を選ぶ場合には、１枚のタブ紙に対する視認性のよい色を選び、タブ紙ごとに色を変えて印刷を行なってもよいし、タブ紙セット全てに対して視認性のよい色を選び、タブ紙セット全てにおいて同じ色で印刷を行なってもよい。
【００７５】
たとえば、図１５において原稿のセットＤ１〜Ｄ６中の所定位置にタブ紙Ｉ１〜Ｉ３を挿入するときに、タブ紙Ｉ１〜Ｉ３が異なる色であれば、それぞれの色に適した色を選択して、「あい」、「うえ」、「かき」の文字のそれぞれを異なる色で印刷してもよいし、全てのタブ紙Ｉ１〜Ｉ３の色に適した色を選択し、「あい」、「うえ」、「かき」の文字全てを同じ色で印刷してもよい。
【００７６】
これは、タブ紙に印刷する文字色として「自動」が選択されている場合でも同様である。
【００７７】
さらに、色を判定し、文字色および背景色の少なくとも１つを変更するように装置やプリンタドライバを構成することも可能である。
【００７８】
［その他］
本発明はＭＦＰ、ファクシミリ装置、複写機、ＰＣなどの画像形成装置に対して実施することができる。
【００７９】
また、上述の実施の形態における処理は、ソフトウエアによって行なっても、ハードウエア回路を用いて行なってもよい。
【００８０】
また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して、装置にダウンロードするようにしてもよい。
【００８１】
なお、上記実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８２】
【図１】本発明の実施の形態の１つにおける画像印刷システムの構成を示す図である。
【図２】ＭＦＰ１台のシステム構成を示すブロック図である。
【図３】図１のＰＣまたはサーバ１台のハードウェア構成を示すブロック図である。
【図４】ＰＣにインストールされるプリンタドライバの有する挿入紙情報処理部の機能ブロック図である。
【図５】ＭＦＰに備えられる印刷処理装置のタブ紙挿入処理部の機能ブロック図である。
【図６】ＭＦＰの印刷処理装置が実行するタブ紙設定処理を示すフローチャートである。
【図７】ＰＣにインストールされるプリンタドライバが実行するタブ紙設定処理のフローチャートである。
【図８】プリンタドライバが実行するタブ紙挿入設定処理のフローチャートである。
【図９】ＭＦＰの操作パネル１０７に表示されるタブ紙情報を設定するためのユーザインターフェイス画面を示す図である。
【図１０】プリンタドライバの挿入ページ、見出し文字、見出し位置を設定するためのユーザインターフェイス画面を示す図である。
【図１１】プリンタドライバのインデックス紙情報を設定するためのユーザインターフェイス画面を示す図である。
【図１２】挿入する用紙のページ番号、タブ紙給紙トレイ、見出し文字、見出し位置を設定するためのユーザインターフェイス画面を示す図である。
【図１３】挿入するタブ紙の見出し文字、文字方向、文字位置、フォントの書体名、スタイル、サイズ、文字色、および文字背景色を設定するためのユーザインターフェイス画面を示す図である。
【図１４】図８のステップＳ３１５で表示される変更メッセージ画面の具体例を示す図である。
【図１５】原稿のセットＤ１〜Ｄ６中の所定位置にタブ紙Ｉ１〜Ｉ３を挿入するときの処理を示す図である。
【符号の説明】
【００８３】
１０７  操作パネル、２００  挿入紙情報処理部、２０１  挿入紙情報設定・表示部、２０３  タブ紙情報処理部、２０５  文字情報処理部、２０７  挿入紙情報記憶部、２５１  タブ紙情報設定・表示部、２５３  装置情報取得部、２５５  タブ紙情報記憶部、２６１  文字情報設定・表示部、２６３  同色・近似色判定部、２６５  警告メッセージ表示部、２６７  色補正処理部、２６９  文字情報記憶部、４０１  印刷データ処理部、４０３  タブ紙情報処理部、４０５  タブ紙印刷処理部、４５１  印刷データ受信部、４５３  印刷データ記憶部、４５５  印刷データ解析部、４６１  タブ紙情報設定・表示部、４６３  タブ紙情報記憶部、４６５  タブ紙情報双方向通信部、４７１  タブ紙印刷判定部、４７３  タブ見出し部描画処理部、４７５  タブ紙印刷部。
【図１】
2008065366.tif 000003
【図２】
2008065366.tif 000004
【図３】
2008065366.tif 000005
【図４】
2008065366.tif 000006
【図５】
2008065366.tif 000007
【図６】
2008065366.tif 000008
【図７】
2008065366.tif 000009
【図８】
2008065366.tif 000010
【図９】
2008065366.tif 000011
【図１０】
2008065366.tif 000012
【図１１】
2008065366.tif 000013
【図１２】
2008065366.tif 000014
【図１３】
2008065366.tif 000015
【図１４】
2008065366.tif 000016
【図１５】
2008065366.tif 000017